(57)【要約】  本開示のいくつかの態様は、プロトコルデータユニットを確認応答するための応答のタイプを示すための方法と装置とを提供する。第１の装置によるワイヤレス通信のための１つの例示的な方法は概して、物理レイヤコンバージェンスプロトコル（ＰＬＣＰ）プロトコルデータユニット（ＰＰＤＵ）を第２の装置に送信することと、送信されたＰＰＤＵに応答して第２の装置から期待される応答のタイプを示すように、ＰＰＤＵのＰＬＣＰヘッダ中の少なくとも１つのビットをセットすることとを含む。
2016511999.tif 000002
【特許請求の範囲】
【請求項１】
ワイヤレス通信のための第１の装置であって、
物理レイヤコンバージェンスプロトコル（ＰＬＣＰ）プロトコルデータユニット（ＰＰＤＵ）を第２の装置に送信するように構成された送信機と、
前記送信されたＰＰＤＵに応答して前記第２の装置から期待される応答のタイプを示すように、前記ＰＰＤＵのＰＬＣＰヘッダ中の少なくとも１つのビットをセットするように構成された処理システムと、
を備える第１の装置。
【請求項２】
前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、請求項１に記載の第１の装置。
【請求項３】
前記少なくとも１つのビットは、応答なしが期待されることを示す値にセットされる、請求項１に記載の第１の装置。
【請求項４】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１に記載の第１の装置。
【請求項５】
前記処理システムは、前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするようにさらに構成される、請求項１に記載の第１の装置。
【請求項６】
前記処理システムは、フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするようにさらに構成され、前記ＥＯＦ値は、期待される前記応答のタイプをさらに示す、請求項１に記載の第１の装置。
【請求項７】
ワイヤレス通信のための装置であって、
物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、送るべき応答のタイプを決定するように構成された処理システムと、
を備える装置。
【請求項８】
前記決定に基づいて、前記応答のタイプをヌルデータパケット（ＮＤＰ）中で送信するように構成された送信機をさらに備える、請求項７に記載の装置。
【請求項９】
前記処理システムは、前記少なくとも１つのビットが、応答が送られるべきでないことを示す値にセットされていると決定することによって、前記応答のタイプを決定するように構成される、請求項７に記載の装置。
【請求項１０】
前記処理システムは、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、請求項７に記載の装置。
【請求項１１】
送信機をさらに備え、
前記処理システムは、前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するようにさらに構成され、
前記送信機は、前記ＰＬＣＰヘッダ中の前記ビットに基づいて前記ＰＰＤＵに応答してブロック確認応答（ＢＡ）を送信するように構成される、請求項７に記載の装置。
【請求項１２】
送信機をさらに備え、
前記処理システムは、第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するようにさらに構成され、
前記送信機は、前記ＥＯＦ値に基づいて前記ＰＰＤＵに応答してブロック確認応答（ＢＡ）を送信するように構成される、請求項７に記載の装置。
【請求項１３】
第１の装置によるワイヤレス通信のための方法であって、
物理レイヤコンバージェンスプロトコル（ＰＬＣＰ）プロトコルデータユニット（ＰＰＤＵ）を第２の装置に送信することと、
前記送信されたＰＰＤＵに応答して前記第２の装置から期待される応答のタイプを示すように、前記ＰＰＤＵのＰＬＣＰヘッダ中の少なくとも１つのビットをセットすることとを備える方法。
【請求項１４】
前記第２の装置によってヌルデータパケット（ＮＤＰ）中で前記応答が送られることを可能にする少なくとも１つのタイプを含むタイプ群から、前記応答のタイプを選択することをさらに備える、請求項１３に記載の方法。
【請求項１５】
前記少なくとも１つのビットは、応答なしが期待されることを示す値にセットされる、請求項１３に記載の方法。
【請求項１６】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１３に記載の方法。
【請求項１７】
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットすることをさらに備える、請求項１３に記載の方法。
【請求項１８】
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットすることをさらに備え、前記ＥＯＦ値は、期待される前記応答のタイプをさらに示す、請求項１３に記載の方法。
【請求項１９】
装置によるワイヤレス通信のための方法であって、
物理レイヤコンバージェンスプロトコル（ＰＬＣＰ）プロトコルデータユニット（ＰＰＤＵ）を受信することと、
前記ＰＰＤＵのＰＬＣＰヘッダ中の少なくとも１つのビットに基づいて、送るべき応答のタイプを決定することと、
を備える方法。
【請求項２０】
前記決定に基づいて、前記応答のタイプをヌルデータパケット（ＮＤＰ）中で送信することをさらに備える、請求項１９に記載の方法。
【請求項２１】
前記応答のタイプを決定することは、前記少なくとも１つのビットが、応答が送られるべきでないことを示す値にセットされていると決定することを備える、請求項１９に記載の方法。
【請求項２２】
前記決定することは、前記ＰＬＣＰヘッダ中のアグリゲーションビットまたはフレーム終了（ＥＯＦ）値のうちの少なくとも１つに基づいて、送るべき前記応答のタイプを決定することをさらに備える、請求項１９に記載の方法。
【請求項２３】
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定することと、
前記ＰＬＣＰヘッダ中の前記ビットに基づいて前記ＰＰＤＵに応答してブロック確認応答（ＢＡ）を送信することとをさらに備える、請求項１９に記載の方法。
【請求項２４】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定することと、
前記ＥＯＦ値に基づいて前記ＰＰＤＵに応答してブロック確認応答（ＢＡ）を送信することとをさらに備える、請求項１９に記載の方法。
【請求項２５】
ワイヤレス通信のための第１の装置であって、
物理レイヤコンバージェンスプロトコル（ＰＬＣＰ）プロトコルデータユニット（ＰＰＤＵ）を第２の装置に送信するための手段と、
前記送信されたＰＰＤＵに応答して前記第２の装置から期待される応答のタイプを示すように、前記ＰＰＤＵのＰＬＣＰヘッダ中の少なくとも１つのビットをセットするための手段と、
を備える第１の装置。
【請求項２６】
前記第２の装置によってヌルデータパケット（ＮＤＰ）中で前記応答が送られることを可能にする少なくとも１つのタイプを含むタイプ群から、前記応答のタイプを選択するための手段をさらに備える、請求項２５に記載の第１の装置。
【請求項２７】
前記少なくとも１つのビットは、応答なしが期待されることを示す値にセットされる、請求項２５に記載の第１の装置。
【請求項２８】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項２５に記載の第１の装置。
【請求項２９】
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするための手段をさらに備える、請求項２５に記載の第１の装置。
【請求項３０】
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするための手段をさらに備え、前記ＥＯＦ値は、期待される前記応答のタイプをさらに示す、請求項２５に記載の第１の装置。
【請求項３１】
ワイヤレス通信のための装置であって、
物理レイヤコンバージェンスプロトコル（ＰＬＣＰ）プロトコルデータユニット（ＰＰＤＵ）を受信するための手段と、
前記ＰＰＤＵのＰＬＣＰヘッダ中の少なくとも１つのビットに基づいて、送るべき応答のタイプを決定するための手段と、
を備える装置。
【請求項３２】
前記決定に基づいて、前記応答のタイプをヌルデータパケット（ＮＤＰ）中で送信するための手段をさらに備える、請求項３１に記載の装置。
【請求項３３】
前記応答のタイプを決定するための前記手段は、前記少なくとも１つのビットが、応答が送られるべきでないことを示す値にセットされていると決定するように構成される、請求項３１に記載の装置。
【請求項３４】
決定するための前記手段は、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、請求項３１に記載の装置。
【請求項３５】
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するための手段と、
前記ＰＬＣＰヘッダ中の前記ビットに基づいて前記ＰＰＤＵに応答してブロック確認応答（ＢＡ）を送信するための手段とをさらに備える、請求項３１に記載の装置。
【請求項３６】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するための手段と、
前記ＥＯＦ値に基づいて、前記ＰＰＤＵに応答してブロック確認応答（ＢＡ）を送信するための手段とをさらに備える、請求項３１に記載の装置。
【請求項３７】
コンピュータ可読媒体を備えるワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置に送信することと、
前記送信されたＰＰＤＵに応答して前記装置から期待される応答のタイプを示すように、前記ＰＰＤＵのＰＬＣＰヘッダ中の少なくとも１つのビットをセットすることと、
を行うように実行可能な命令を有する、コンピュータプログラム製品。
【請求項３８】
コンピュータ可読媒体を備えるワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置において受信することと、
前記ＰＰＤＵのＰＬＣＰヘッダ中の少なくとも１つのビットに基づいて、前記ＰＰＤＵについて送るべき応答のタイプを決定することと、
を行うように実行可能な命令を有する、コンピュータプログラム製品。
【請求項３９】
第１のワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を第２のワイヤレス局に送信するように構成された送信機と、
前記送信されたＰＰＤＵに応答して前記第２のワイヤレス局から期待される応答のタイプを示すように、前記ＰＰＤＵのＰＬＣＰヘッダ中の少なくとも１つのビットをセットするように構成された処理システムと、
を備える第１のワイヤレス局。
【請求項４０】
ワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、前記ＰＰＤＵについて送るべき応答のタイプを決定するように構成された処理システムと、
を備えるワイヤレス局。
【発明の詳細な説明】
【技術分野】
【０００１】
米国特許法第１１９条による優先権の主張  
[0001]本出願は、それらの両方の全体が参照により本明細書に組み込まれる、２０１３年２月２０日に出願した米国仮特許出願第６１／７６７，２４０号（代理人整理番号第１３１７８１Ｐ１号）、および２０１３年２月２６日に出願した米国仮特許出願第６１／７６９，７１８号（代理人整理番号第１３１７８１Ｐ２号）の利益を主張する。
【０００２】
[0002]本開示のいくつかの態様は、概して、ワイヤレス通信に関し、より詳細には、プロトコルデータユニットを確認応答（acknowledging）するための応答のタイプを示すことに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよびシングルキャリアＦＤＭＡ（ＳＣ−ＦＤＭＡ）ネットワークを含む。
【０００４】
[0004]より大きなカバレージおよびより広い通信範囲に対する要望に対処するために、様々な方式が開発されている。１つのそのような方式は、米国電気電子技術者協会（ＩＥＥＥ）８０２．１１ａｈタスクフォースにより開発されている、サブ１ＧＨｚ周波数帯域（たとえば、米国では９０２〜９２８ＭＨｚで運用している）である。この開発は、他のＩＥＥＥ８０２．１１グループよりもワイヤレス範囲が広く障害物による損失が小さい周波数帯域を利用することに対する要望により、推進されている。
【発明の概要】
【０００５】
[0005]本開示の態様は概して、プロトコルデータユニット内で、送信されたプロトコルデータユニットを確認応答するための応答のタイプを示すことに関する。
【０００６】
[0006]本開示のいくつかの態様は、ワイヤレス通信のための第１の装置を提供する。第１の装置は概して、物理レイヤコンバージェンスプロトコル（ＰＬＣＰ）プロトコルデータユニット（ＰＰＤＵ）を第２の装置に送信するように構成された送信機と、送信されたＰＰＤＵに応答して第２の装置から期待される応答のタイプを示すように、ＰＰＤＵのＰＬＣＰヘッダ中の少なくとも１つのビットをセットするように構成された処理システムとを含む。
【０００７】
[0007]本開示のいくつかの態様は、ワイヤレス通信のための装置を提供する。装置は概して、ＰＰＤＵを受信するように構成された受信機と、ＰＰＤＵのＰＬＣＰヘッダ中の少なくとも１つのビットに基づいて、ＰＰＤＵについて送るべき応答のタイプを決定するように構成された処理システムとを含む。
【０００８】
[0008]本開示のいくつかの態様は、第１の装置によるワイヤレス通信のための方法を提供する。方法は概して、第２の装置にＰＰＤＵを送信することと、送信されたＰＰＤＵに応答して第２の装置から期待される応答のタイプを示すように、ＰＰＤＵのＰＬＣＰヘッダ中の少なくとも１つのビットをセットすることとを含む。
【０００９】
[0009]本開示のいくつかの態様は、装置によるワイヤレス通信のための方法を提供する。方法は概して、ＰＰＤＵを受信することと、ＰＰＤＵのＰＬＣＰヘッダ中の少なくとも１つのビットに基づいて、ＰＰＤＵについて送るべき応答のタイプを決定することとを含む。
【００１０】
[0010]本開示のいくつかの態様は、ワイヤレス通信のための第１の装置を提供する。第１の装置は概して、第２の装置にＰＰＤＵを送信するための手段と、送信されたＰＰＤＵに応答して第２の装置から期待される応答のタイプを示すように、ＰＰＤＵのＰＬＣＰヘッダ中の少なくとも１つのビットをセットするための手段とを含む。
【００１１】
[0011]本開示のいくつかの態様は、ワイヤレス通信のための装置を提供する。装置は概して、ＰＰＤＵを受信するための手段と、ＰＰＤＵのＰＬＣＰヘッダ中の少なくとも１つのビットに基づいて、ＰＰＤＵについて送るべき応答のタイプを決定するための手段とを含む。
【００１２】
[0012]本開示のいくつかの態様は、ワイヤレス通信のためのコンピュータプログラム製品を提供する。コンピュータプログラム製品は概して、装置にＰＰＤＵを送信することと、送信されたＰＰＤＵに応答して装置から期待される応答のタイプを示すように、ＰＰＤＵのＰＬＣＰヘッダ中の少なくとも１つのビットをセットすることと、を行うように概して実行可能な命令を有するコンピュータ可読媒体を含む。
【００１３】
[0013]本開示のいくつかの態様は、ワイヤレス通信のためのコンピュータプログラム製品を提供する。コンピュータプログラム製品は概して、装置においてＰＰＤＵを受信することと、ＰＰＤＵのＰＬＣＰヘッダ中の少なくとも１つのビットに基づいて、ＰＰＤＵについて送るべき応答のタイプを決定することと、を行うように実行可能な命令を有するコンピュータ可読媒体を含む。
【００１４】
[0014]本開示のいくつかの態様は、ワイヤレス通信のための第１のワイヤレス局を提供する。第１のワイヤレス局は概して、少なくとも１つのアンテナと、少なくとも１つのアンテナを介して、第２のワイヤレス局にＰＰＤＵを送信するように構成された送信機と、送信されたＰＰＤＵに応答して第２のワイヤレス局から期待される応答のタイプを示すように、ＰＰＤＵのＰＬＣＰヘッダ中の少なくとも１つのビットをセットするように構成された処理システムとを含む。
【００１５】
[0015]本開示のいくつかの態様は、ワイヤレス通信のためのワイヤレス局を提供する。ワイヤレス局は概して、少なくとも１つのアンテナと、少なくとも１つのアンテナを介してＰＰＤＵを受信するように構成された受信機と、ＰＰＤＵのＰＬＣＰヘッダ中の少なくとも１つのビットに基づいて、ＰＰＤＵについて送るべき応答のタイプを決定するように構成された処理システムとを含む。
【００１６】
[0016]本開示の上述の特徴を詳細に理解することができるように、添付の図面にその一部を示す態様を参照することによって、上記で簡単に要約したより具体的な説明を得ることができる。しかしながら、この説明は他の同等の効果のある態様を容認し得るので、添付の図面は、本開示の特定の典型的な態様のみを示し、したがって、本開示の範囲の限定とみなされるべきではないことに留意されたい。
【図面の簡単な説明】
【００１７】
【図１】[0017]本開示のいくつかの態様による例示的なワイヤレス通信ネットワークの図。
【図２】[0018]本開示のいくつかの態様による、例示的アクセスポイントとユーザ端末とのブロック図。
【図３】[0019]本開示の特定の態様による例示的ワイヤレスデバイスのブロック図。
【図４】[0020]本開示のいくつかの態様による、確認応答（ＡＣＫ）指示フィールドの例示的な符号化を示す図。
【図５】本開示のいくつかの態様による、確認応答（ＡＣＫ）指示フィールドの例示的な符号化を示す図。
【図６】本開示のいくつかの態様による、確認応答（ＡＣＫ）指示フィールドの例示的な符号化を示す図。
【図７】[0021]本開示のいくつかの態様による、発信元によるワイヤレス通信のための例示的動作の流れ図。
【図７Ａ】[0022]図７に示す動作を実施することが可能な例示的手段を示す図。
【図８】[0023]本開示のいくつかの態様による、受信側によるワイヤレス通信のための例示的動作の流れ図。
【図８Ａ】[0024]図８に示す動作を実施することが可能な例示的手段を示す図。
【詳細な説明】
【００１８】
[0025]本開示の様々な態様について、以下で、添付の図面を参照してより詳細に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実装し得、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施できることを理解されたい。
【００１９】
[0026]「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２０】
[0027]本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。詳細な説明および図面は、限定的なものではなく本開示を説明するものにすぎず、本開示の範囲は添付の特許請求の範囲およびその均等物によって規定される。
【００２１】
[0028]本明細書では、ワイヤレス通信の分野における一般に認識されている使用法に一致する、以下に記載する頭字語を使用することがある。本明細書では、他の頭文字を使用することもあり、以下のリストにおいて定義されていない場合は、本明細書で最初に出現する場所で定義する。  
ＡＣＫ  確認応答  
Ａ−ＭＰＤＵ  アグリゲートＭＡＣプロトコルデータユニット  
ＡＰ  アクセスポイント  
ＢＡ  ブロックＡｃｋ  
ＢＡＲ  ブロックＡｃｋ要求  
ＣＲＣ  巡回冗長検査  
ＤＣＦ  分散協調機能  
ＤＩＦＳ  ＤＣＦフレーム間スペース  
ＥＯＦ  フレーム終了  
ＥＩＦＳ  拡張フレーム間スペース  
ＦＣＳ  フレーム検査シーケンス  
ＩＤ  識別子  
ＩＥＥＥ  米国電気電子技術者協会  
ＬＴＦ  ロングトレーニングフィールド  
ＭＡＣ  メディアアクセス制御  
ＭＳＢ  最上位ビット  
ＭＩＭＯ  多入力多出力  
ＭＰＤＵ  ＭＡＣプロトコルデータユニット  
ＭＵ  マルチユーザ  
ＭＵ−ＭＩＭＯ  マルチユーザ多入力多出力  
ＮＤＰ  ヌルデータパケット  
ＯＦＤＭ  直交周波数分割多重  
ＯＦＤＭＡ  直交周波数分割多元接続  
ＰＨＹ  物理レイヤ  
ＰＬＣＰ  物理レイヤコンバージェンスプロトコル  
ＰＰＤＵ  ＰＬＣＰプロトコルデータユニット  
ＰＳＤＵ  ＰＬＣＰサービスデータユニット  
ＱｏＳ  サービス品質  
ＲＤＧ  逆方向グラント  
Ｓ１Ｇ  サブ１ＧＨｚ  
ＳＤＭＡ  空間分割多元接続  
ＳＩＦＳ  ショートフレーム間スペース  
ＳＩＧ  信号  
ＳＴＡ  局  
ＳＴＢＣ  時空間ブロックコーディング  
ＳＴＦ  ショートトレーニングフィールド  
ＳＵ  シングルユーザ  
ＴＣＰ  伝送制御プロトコル  
ＶＨＴ  超高スループット  
ＷＬＡＮ  ワイヤレスローカルエリアネットワーク
例示的なワイヤレス通信システム  
[0029]本明細書で説明する技法は、直交多重化方式に基づく通信システムを含む様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、十分に異なる方向を使用して、複数のユーザ端末に属すデータを同時に送信するために利用できる。ＴＤＭＡシステムは、複数のユーザ端末が、送信信号を異なるタイムスロットに分割することによって、同じ周波数チャネルを共有することを可能にすることができ、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送られる。
【００２２】
[0030]本明細書の教示は、様々なワイヤードまたはワイヤレス装置（たとえば、ノード）に組み込まれ得る（たとえば、その装置内に実装され、またはその装置によって実行され得る）。いくつかの態様では、本明細書の教示に従って実装されるワイヤレスノードはアクセスポイントまたはアクセス端末を備え得る。
【００２３】
[0031]アクセスポイント（「ＡＰ」）は、ノードＢ、無線ネットワークコントローラ（「ＲＮＣ」）、ｅｖｏｌｖｅｄノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２４】
[0032]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、タブレット、ポータブル通信デバイス、ポータブルコンピューティングデバイス（たとえば、個人情報端末）、娯楽デバイス（たとえば、音楽またはビデオデバイス、あるいは衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２５】
[0033]図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、一般に、ユーザ端末と通信する固定局であり、基地局または何らかの他の用語で呼ばれることもある。ユーザ端末は、固定でもモバイルでもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信することができる。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信することができる。システムコントローラ１３０は、アクセスポイントに結合し、アクセスポイントの調整および制御を行う。
【００２６】
[0034]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成できる。この手法は、より新しいＳＤＭＡユーザ端末が適宜に導入されることを可能にしながら、より古いバージョンのユーザ端末（「レガシー」局）が企業に展開されたままであることを都合よく可能にして、それらの有効寿命を延長することができる。
【００２７】
[0035]システム１００は、ダウンリンクおよびアップリンク上でのデータ送信のために複数の送信アンテナおよび複数の受信アンテナを採用する。アクセスポイント１１０は、Ｎap個のアンテナを備え、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数、または時間で多重化されない場合、Ｎap≧Ｋ≧１であることが望まれる。ＴＤＭＡ技法、ＣＤＭＡを用いた様々なコードチャネル、ＯＦＤＭを用いたサブバンドの独立セットなどを使用してデータシンボルストリームを多重化することができる場合、ＫはＮapよりも大きくすることができる。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００２８】
[0036]システム１００は時分割複信（ＴＤＤ）システムまたは周波数分割複信（ＦＤＤ）システムとすることができる。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用することができる。各ユーザ端末は、（たとえば、コストを抑えるために）単一のアンテナを備えることができ、または（たとえば、追加費用をサポートすることができる場合）複数のアンテナを備えることができる。ユーザ端末１２０が、送信／受信を異なるタイムスロットに分割することによって、同じ周波数チャネルを共有する場合、システム１００は、ＴＤＭＡシステムであってもよく、各タイムスロットは、異なるユーザ端末１２０に割り当てられる。
【００２９】
[0037]図２に、ＭＩＭＯシステム１００におけるアクセスポイント１１０と２つのユーザ端末１２０ｍおよび１２０ｘとのブロック図を示す。アクセスポイント１１０は、Ｎt個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、上付き文字「ｕｐ」はアップリンクを示し、Ｎup個のユーザ端末がアップリンク上での同時送信のために選択され、Ｎdn個のユーザ端末がダウンリンク上での同時送信のために選択され、Ｎupは、Ｎdnに等しいことも等しくないこともあり、ＮupとＮdnとは、静的な値であるかまたはスケジュール間隔ごとに変化することができる。アクセスポイントおよびユーザ端末においてビームステアリングまたは何らかの他の空間処理技法が使用できる。
【００３０】
[0038]アップリンク上では、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のための選択されたレートに関連するコーディングおよび変調方式に基づいて、ユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を発生するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信用に、Ｎut,m個のアップリンク信号を与える。
【００３１】
[0039]アップリンク上での同時送信のためにＮup個のユーザ端末がスケジュールできる。これらのユーザ端末の各々は、そのデータシンボルストリームに対して空間処理を実行し、アップリンク上で送信シンボルストリームのそのセットをアクセスポイントに送信する。
【００３２】
[0040]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられる。
【００３３】
[0041]ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータは様々なトランスポートチャネル上で送られる。ＴＸデータプロセッサ２１０は、そのユーザ端末のために選択されたレートに基づいて各ユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して空間処理（本開示に記載するプリコーディングまたはビームフォーミングなど）を実施し、Ｎap個のアンテナにＮap個の送信シンボルストリームを与える。各送信機ユニット２２２は、ダウンリンク信号を発生するために、それぞれの送信シンボルストリームを受信し、処理する。Ｎap個の送信機ユニット２２２は、Ｎap個のアンテナ２２４からユーザ端末への送信のために、Ｎap個のダウンリンク信号を与える。
【００３４】
[0042]各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを得るために、復元されたダウンリンクデータシンボルストリームを処理（たとえば、復調、デインターリーブ、および復号）する。
【００３５】
[0043]各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末用のコントローラ２８０は通常、ユーザ端末についての空間フィルタ行列を、そのユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末用のコントローラ２８０は、フィードバック情報（たとえば、ダウンリンクおよび／またはアップリンク固有ベクトル、固有値、ＳＮＲ推定値など）をアクセスポイントに送ることができる。コントローラ２３０および２８０は、それぞれ、アクセスポイント１１０とユーザ端末１２０とにおける様々な処理ユニットの動作も制御する。
【００３６】
[0044]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成できるデバイスの一例である。ワイヤレスデバイス３０２はアクセスポイント１１０またはユーザ端末１２０であり得る。
【００３７】
[0045]ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含むことができるメモリ３０６は、命令とデータとをプロセッサ３０４に与える。メモリ３０６の一部は不揮発性ランダムアクセスメモリ（ＮＶＲＡＭ）をも含むことができる。プロセッサ３０４は一般に、メモリ３０６内に記憶されたプログラム命令に基づいて、論理および演算動作を実行する。メモリ３０６中の命令は、本明細書で説明する方法を実装するために実行可能である。
【００３８】
[0046]ワイヤレスデバイス３０２は、ワイヤレスデバイス３０２と遠隔地との間のデータの送信および受信を可能にするために送信機３１０と受信機３１２とを含むことができるハウジング３０８を含むこともできる。送信機３１０と受信機３１２とを組み合わせてトランシーバ３１４を形成することができる。単一または複数の送信アンテナ３１６は、ハウジング３０８に取り付けられ、トランシーバ３１４に電気的に結合され得る。ワイヤレスデバイス３０２は、複数の送信機と、複数の受信機と、複数のトランシーバとをも含むことができる（図示せず）。
【００３９】
[0047]ワイヤレスデバイス３０２は、トランシーバ３１４によって受信された信号のレベルを検出および定量化するために使用できる信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４０】
[0048]ワイヤレスデバイス３０２の様々な構成要素は、データバスに加えて、電力バスと、制御信号バスと、ステータス信号バスとを含み得るバスシステム３２２によって互いに結合され得る。
【００４１】
例示的なＡＣＫタイプ指示（indication）およびＥＩＦＳ  
[0049]ＨＥＷ（高効率ＷｉＦｉ（登録商標）もしくは高効率ＷＬＡＮ）またはサブ１ＧＨｚ（Ｓ１Ｇ）としても知られているように、ＩＥＥＥ８０２．１１ａｈは、８０２．１１ネットワークにおいてより長い範囲を可能にする、ＩＥＥＥ８０２．１１規格に対する改正である。８０２．１１ａｈチャネルは、８０２．１１ａｈのみに専用となり、このことは、これらのチャネル中にレガシー８０２．１１デバイスがないことを含意する。これにより、ＰＬＣＰヘッダ（ＰＨＹヘッダとしても知られる）を設計し直すこと、およびＰＰＤＵのサードパーティ受信機が、ＰＰＤＵに対する応答があるかどうかを現時点では知らないという問題に対処することが可能になる。
【００４２】
[0050]本開示のいくつかの態様は、ＰＰＤＵのＰＬＣＰヘッダ中にＡＣＫ指示フィールド（応答指示フィールドとも呼ばれる）を含むＰＰＤＵ（たとえば、Ｓ１Ｇ  ＰＰＤＵ）を送信するための技法と装置とを提供する。ＡＣＫ指示フィールドは、ＰＰＤＵに対する応答（ある場合）のタイプを示し得る。応答のタイプは、サードパーティ受信機（ＰＰＤＵ中のＭＰＤＵの受信側でないか、またはＰＰＤＵ中のＭＰＤＵ（複数可）を復号することができない受信機である）によって、ＰＰＤＵに対する可能応答を延期するのに使われる。延期は、再開バックオフに先立つ拡張フレーム間スペース（ＥＩＦＳ）時間に基づき得る。ＭＡＣ部分を復号することができない場合、受信ＰＰＤＵの後、ＥＩＦＳが開始される。
【００４３】
[0051]いくつかの態様によると、ＡＣＫ指示フィールドは、Ｓ１Ｇ  ＰＰＤＵの信号（ＳＩＧ）フィールド中に含まれ得る。ＡＣＫ指示フィールドはサイズが２ビットであり得、４つの可能応答タイプ（０〜３）を指定する。ＡＣＫ指示フィールドの例示的な符号化が、図４に示されている。
【００４４】
[0052]Ｓ１Ｇにおける規約は、５１２バイト未満のＭＰＤＵが、ＳＩＧフィールド中のオクテットカウントを通して示されること、および５１２オクテット以上のパケットが、ＰＰＤＵのシンボルの数によって示されることである。後者のケースにおいて、Ａ−ＭＰＤＵは、フレームのＭＡＣ部分中で使われる（このことは、ＭＰＤＵ（複数可）のオクテットカウントが、ＭＰＤＵデリミタによって示されること、およびブロック確認応答（ブロックＡｃｋ）が使われ得ることも含意する）。長さフィールドをオクテットカウントそれともシンボルカウントとして解釈するかは、アグリゲーションビットの設定に依存する。いくつかの態様に対して、長さ、アグリゲーション、およびＡＣＫ指示は、ＰＬＣＰヘッダのＳＩＧフィールドの一部である。フレーム終了（ＥＯＦ）フィールドは、ＭＰＤＵデリミタの一部である。第１の非ゼロ長ＭＰＤＵデリミタが、１に等しいＥＯＦ値を有するとき、これは、単一のＭＰＤＵのみがＰＰＤＵ中に存在することと、応答はＡＣＫフレーム（通常またはＮＤＰフォーマット、ここでＮＤＰは一般に、ＰＬＣＰヘッダのみからなり、すなわち、真のヌルデータパケットである）でなければならないこととをシグナリングする。それ以外のとき、Ａ−ＭＰＤＵに対する応答はブロックＡｃｋ（通常またはＮＤＰフォーマット）である。通常ブロックＡｃｋフレームは概して、ＭＰＤＵヘッダと、開始シーケンス番号（ＳＳＮ）と、６４ビットのブロックＡｃｋビットマップとを含む、３２バイト長の圧縮タイプである。
【００４５】
[0053]逆向きグラント（ＲＤＧ：Reverse Direct Grant）は概して、ＡＣＫまたはブロックＡｃｋ以外の応答フレームを送るための時間を受信機に付与するのに使われる機構を指す。ＡＣＫ指示は、ＲＤＧ向けにロング応答（ＡＣＫ指示＝３）にセットされる。
【００４６】
[0054]図４に示される例示的なＡＣＫ指示フィールド符号化は、応答なし（no response）、ＮＤＰ応答、通常（制御）応答、およびロング応答（long response）についての指示を与える。超高スループット（ＶＨＴ）シングルＭＰＤＵと組み合わせられた、通常ＡＣＫについての指示はないが、それは、この場合、通常ＡＣＫではなくＮＤＰ  ＡＣＫが使われ得ると仮定されるからである。ＶＨＴシングルＭＰＤＵについての通常ＡＣＫ指示を追加することが可能であるが、それには、第５の応答タイプを伴い、これは、ＡＣＫ指示フィールド用に３ビットを使うことを示唆する。２ビットのみが現時点で利用可能であり、したがって、ＶＨＴシングルＭＰＤＵについての通常ＡＣＫオプションを省くための設計選択ということになる。
【００４７】
[0055]通常ＡＣＫが、２（通常応答）のＡＣＫ指示値を使って、ＶＨＴシングルＭＰＤＵに対する応答として送られるが、通常ＡＣＫの送信側と受信機の両方が、ブロックＡｃｋ（ＢＡ）とＡＣＫとの間の送信時間の差に等しいポストＡＣＫ  ＥＩＦＳを観察し得ることが可能である。  
ポストＡＣＫ  ＥＩＦＳ  ＝  ＢＡ送信時間  −  ＡＣＫ送信時間
[0056]ポストＡＣＫ  ＥＩＦＳ（ＶＨＴシングルＭＰＤＵ用）を含むＡＣＫ指示フィールドの例示的な符号化が、図５に示されている。
【００４８】
[0057]別のソリューションは、ＡＣＫフレームではなく、ＳＳＮおよびブロックＡｃｋビットマップがすべて０、または何らかの他の予約済み値にセットされているブロックＡＣＫフレームを送ることである。さらに別のソリューションは、ＡＣＫを、ゼロ長デリミタ（４オクテットの非ゼロＭＰＤＵデリミタ、１４オクテットＡＣＫ、２オクテットのＡ−ＭＰＤＵパディング、および３つのゼロ長デリミタ）を使って３２オクテットまで埋められたＡ−ＭＰＤＵとして送ることである。図６は、ＶＨＴシングルＭＰＤＵについての３２オクテットＡＣＫをもつＡＣＫ指示フィールドの例示的な符号化を示す。
【００４９】
[0058]ロング応答タイプは可能性として、サードパーティ受信機において、非常に長いＥＩＦＳを開始させる。不公平を避けるために、ロング応答（＝３）のＡＣＫ指示をもつＰＰＤＵが、異なるＡＣＫ指示（＜３）をもつＰＰＤＵでフォローアップされ得る。このフォローアップＰＰＤＵは、サードパーティ受信機におけるＥＩＦＳを短縮（truncates）し、すべての競合相手を、バックオフを再開するための同じスケジュールに戻す。
【００５０】
[0059]いくつかの態様では、本明細書において提供される技法は概して、要請フレームに対する、（ＮＤＰと、通常制御フレームと、長いフレームとを含む）複数の応答フレームの中から、受信機が選択する（および、他のＳＴＡが検出する）ことを可能にするＡＣＫ指示ビットのマッピングを提供する。選択は、ＰＨＹプリアンブル中のＡＣＫ指示フィールドと、上述したように、ＰＨＹプリアンブル（たとえば、アグリゲーションビット）において入手可能な他の情報、ならびにＭＰＤＵデリミタ（たとえば、ＥＯＦ）における何らかの情報を使うこととに基づき得る。本開示のいくつかの態様は概して、この指示に基づくＥＩＦＳの算出にも関する。
【００５１】
[0060]いくつかのケースでは、新規ＡＣＫ指示が、ＱｏＳ制御フィールドからの、「ブロックＡｃｋ」ＡＣＫポリシーについての明示的値をもたず、暗黙的なもののみをもつ場合がある。これは、ＡＣＫ指示フィールド中のビットを助け得る。いくつかのケースでは、「ブロックＡｃｋ」ＡＣＫポリシーの暗黙的指示は、以下の設定により与えられ得る。  
・ＡＣＫ指示  ＝  ０（応答なし（No Response））  
・アグリゲーション  ＝  １（Ａ−ＭＰＤＵ）  
・第１の非ゼロ長ＭＰＤＵデリミタがＥＯＦ＝０を有する（すなわち、ＶＨＴ
シングルＡ−ＭＰＤＵがない）
[0061]これらの値がＰＰＤＵヘッダおよび第１の非ゼロ長ＭＰＤＵデリミタ中にあるとき、ＡＣＫポリシーは「ブロックＡｃｋ」に等しく、これは、受信ＭＰＤＵに関して状態が記録される（すなわち、それに基づいてブロックＡｃｋビットマップが形成され得る）が、ＰＰＤＵの後にブロックＡｃｋフレームが送られないことを意味する。
【００５２】
[0062]図７は、本開示のいくつかの態様による発信（送信）装置による、ワイヤレス通信のための例示的動作７００の流れ図である。動作７００は、７０２で始まることができ、ここで発信装置は、受信装置にＰＰＤＵを送信する。７０４で、７０２での実際の送信の前に、発信装置は、送信されたＰＰＤＵに応答して受信装置から期待される応答のタイプを示すように、ＰＰＤＵのＰＬＣＰヘッダ中の少なくとも１つのビットをセットする。
【００５３】
[0063]いくつかの態様によると、動作７００は、発信装置が、第２の装置によってヌルデータパケット（ＮＤＰ）中で応答が送られることを可能にする少なくとも１つのタイプを含むタイプ群から、指示（すなわち、応答のタイプ）を選択することをさらに含む。
【００５４】
[0064]いくつかの態様によると、動作７００は、発信装置が、ＰＰＤＵの信号（ＳＩＧ）フィールドまたはメディアアクセス制御（ＭＡＣ）プロトコルデータユニット（ＭＰＤＵ）デリミタ中のビットを、ＰＰＤＵがシングルＭＰＤＵを備えることを示す値にセットすることをさらに含む。
【００５５】
[0065]いくつかの態様によると、少なくとも１つのビットは、応答なし（no response）が期待されることを示す値にセットされる。
【００５６】
[0066]いくつかの態様によると、少なくとも１つのビットは、応答なしが期待されること、ヌルデータパケット（ＮＤＰ）応答が期待されること、通常応答が期待されること、またはロング応答が期待されることを示す値にセットされた少なくとも２つのビットである。
【００５７】
[0067]いくつかの態様によると、動作７００は、発信装置が、ＰＰＤＵのＰＬＣＰヘッダ中（たとえば、ＳＩＧフィールド中）のビットを、ＰＰＤＵがアグリゲートＭＡＣプロトコルデータユニット（Ａ−ＭＰＤＵ）を備えるかどうかを示す値にセットすることをさらに含み得る。
【００５８】
[0068]いくつかの態様によると、動作７００は、発信装置が、フレーム終了（ＥＯＦ）値を、非ゼロ長フィールドをもつＰＰＤＵの第１のＭＰＤＵデリミタのゼロにセットすることをさらに含み得る。このＥＯＦ値は、送信されたＰＰＤＵに応答して第２の装置から期待される応答のタイプをさらに示す。
【００５９】
[0069]図８は、本開示のいくつかの態様による、受信装置によるワイヤレス通信のための例示的動作８００の流れ図である。動作８００は、８０２で始まることができ、ここで受信装置はＰＰＤＵを受信する。８０４で、受信装置は、ＰＰＤＵのＰＬＣＰヘッダ中の少なくとも１つのビットに基づいて、ＰＰＤＵについて送るべき応答のタイプを決定する。
【００６０】
[0070]いくつかの態様によると、応答のタイプは、装置によってヌルデータパケット（ＮＤＰ）中で応答が送られることを可能にする少なくとも１つのタイプを含むタイプ群から選択される。この場合、動作８００は、受信装置が、決定に基づいて、ＮＤＰ中で応答のタイプを送信することをさらに伴い得る。
【００６１】
[0071]いくつかの態様によると、８０４で応答のタイプを決定することは、少なくとも１つのビットが、応答が送られるべきでない（no response is to be sent）ことを示す値にセットされていると決定することを伴い得る。
【００６２】
[0072]いくつかの態様によると、動作８００は、受信装置が、ＰＰＤＵのＰＬＣＰヘッダ（たとえば、ＳＩＧフィールド）中のビットが、ＰＰＤＵがアグリゲートメディアアクセス制御（ＭＡＣ）プロトコルデータユニット（Ａ−ＭＰＤＵ）を備えることを示す値にセットされていると決定することと、ＰＬＣＰヘッダ中のビット（たとえば、ＳＩＧフィールド）に基づいて、ＰＰＤＵに応答してブロック確認応答（ＢＡ）を送信することとをさらに含み得る。いくつかの態様に対して、決定は、ＭＰＤＵデリミタ中のＥＯＦフィールドに基づき得る。
【００６３】
[0073]いくつかの態様によると、動作８００は、受信装置が、第１の非ゼロ長ＭＰＤＵデリミタが、ゼロにセットされたフレーム終了（ＥＯＦ）値を有すると決定することと、ＥＯＦ値に基づいて、ＰＰＤＵに応答してブロック確認応答（ＢＡ）を送信することとをさらに含み得る。
【００６４】
[0074]いくつかの態様によると、動作８００は、受信装置が、決定された応答のタイプを送信することをさらに伴い得る。
【００６５】
[0075]いくつかの態様によると、少なくとも１つのビットは、ロング応答が送られるべきであることを示す値にセットされる。
【００６６】
[0076]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示す動作がある場合、それらの動作は、同様の番号をもつ対応するカウンターパートのミーンズプラスファンクション構成要素を有し得る。たとえば、図７および図８に示す動作７００および８００はそれぞれ、図７Ａおよび図８Ａに示す手段７００Ａおよび８００Ａに対応する。
【００６７】
[0077]たとえば、送信するための手段は、図２に示されるアクセスポイント１１０の送信機（たとえば、送信機ユニット２２２）および／またはアンテナ（複数可）２２４、図２に描かれるユーザ端末１２０の送信機（たとえば、送信機ユニット２５４）および／またはアンテナ（複数可）２５２、あるいは図３に示される送信機３１０および／またはアンテナ（複数可）３１６を備え得る。受信するための手段は、図２に示されるアクセスポイント１１０の受信機（たとえば、受信機ユニット２２２）および／またはアンテナ（複数可）２２４、図２に示されるユーザ端末１２０の受信機（たとえば、受信機ユニット２５４）および／またはアンテナ（複数可）２５２、あるいは図３に示される受信機３１２および／またはアンテナ（複数可）３１６を備え得る。処理するための手段、セットするための手段、選択するための手段、解釈するための手段、含むための手段、（別々に）示すための手段、符号化するための手段、提供するための手段、生成するための手段、および／または（別々に）決定するための手段は、処理システムを備えることができ、処理システムは、図２に示される、アクセスポイント１１０のＲＸデータプロセッサ２４２、ＴＸデータプロセッサ２１０、および／またはコントローラ２３０、図２に示される、ユーザ端末１２０のＲＸデータプロセッサ２７０、ＴＸデータプロセッサ２８８、および／またはコントローラ２８０、あるいは図３に描かれるプロセッサ３０４および／またはＤＳＰ３２０など、１つまたは複数のプロセッサを含み得る。
【００６８】
[0078]いくつかの態様によると、そのような手段は、（たとえば、ハードウェアでまたはソフトウェア命令を実行することによって）様々なアルゴリズムを実装することによって、対応する機能を実施するように構成された処理システムによって実装され得る。たとえば、送信について期待される応答のタイプ（たとえば、ＭＰＤＵまたはＰＰＤＵ）を示すようにビットをセットするためのアルゴリズムは、入力として、送るべき送信のタイプと、その送信についてどの応答のタイプが期待されるかという決定に対して計算に入れることができる条件付き入力とを受信し得る。この入力に基づいて、アルゴリズムは、適切なビットを、期待される応答のタイプを示すようにセットし得る。同様に、受信された送信中のビットに基づいて、どの応答のタイプが期待されるか決定するためのアルゴリズムは、ビットを（入力として）受信し、ビット値に基づいて、どの応答のタイプが期待されるか決定することができる。
【００６９】
[0079]本明細書で使用する「決定」という用語は、多種多様なアクションを包含する。たとえば、「決定」は、算出、計算、処理、導出、調査、探索（たとえば、テーブル、データベース、または別のデータ構造での探索）、確認などを含むことができる。また、「決定」は、受信（たとえば、情報を受信すること）、アクセス（たとえば、メモリ中のデータにアクセスすること）などを含むことができる。また、「決定」は、解決、選択、選出、確立などを含むことができる。
【００７０】
[0080]本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ〜ｂ、ａ〜ｃ、ｂ〜ｃ、およびａ〜ｂ〜ｃをカバーするものとする。
【００７１】
[0081]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア構成要素、あるいは本明細書で説明した機能を実行するように設計されたそれらの任意の組合せを用いて実装または実行できる。汎用プロセッサはマイクロプロセッサであり得るが、代替として、プロセッサは、任意の市販のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００７２】
[0082]本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化されることもできる。
【００７３】
[0083]本明細書で開示する方法は、説明した方法を達成するための１つまたは複数のステップまたはアクションを備える。方法のステップおよび／またはアクションは、特許請求の範囲から逸脱せずに互いに交換される可能性がある。言い換えれば、ステップまたはアクションの特定の順序が指定されない限り、特定のステップおよび／またはアクションの順序および／または使用は特許請求の範囲から逸脱することなく変更できる。
【００７４】
[0084]説明した機能は、ハードウェア、ソフトウェア、ファームウェア、またはそれらの組合せで実装できる。ハードウェアで実装される場合、例示的ハードウェア構成は、ワイヤレスノード内の処理システムを備え得る。処理システムは、バスアーキテクチャを使って実装され得る。バスは、処理システムの特定の適用例および全体的な設計制約に応じて、任意の数の相互接続バスおよびブリッジを含み得る。そのバスは、プロセッサと、機械可読媒体と、バスインターフェースとを含む様々な回路を互いにリンクし得る。バスインターフェースは、ネットワークアダプタを、特に、バスを介して処理システムに接続するのに使われ得る。ネットワークアダプタは、ＰＨＹ層の信号処理機能を実装するのに使われ得る。ユーザ端末１２０（図１参照）の場合、ユーザインターフェース（たとえば、キーパッド、ディスプレイ、マウス、ジョイスティックなど）をバスに接続することもできる。バスは、タイミングソース、周辺機器、電圧調整器、電力管理回路など様々な他の回路をリンクさせることも可能であり、これは当技術分野ではよく知られているので、これ以上説明しない。
【００７５】
[0085]プロセッサは、機械可読媒体に格納されたソフトウェアの実行を含む、バスおよび一般的な処理を管理することを担当し得る。プロセッサは、１つまたは複数の汎用および／または専用プロセッサを用いて実装することができる。例としては、マイクロプロセッサ、マイクロコントローラ、ＤＳＰプロセッサ、およびソフトウェアを実行できる他の回路がある。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含むことができる。機械可読媒体はコンピュータプログラム製品に具現化され得る。コンピュータプログラム製品は、実装材料を備え得る。
【００７６】
[0086]ハードウェア実装形態では、機械可読媒体は、処理システムの一部であるか、またはプロセッサとは別個であり得る。しかしながら、当業者なら容易に理解するように、機械可読媒体またはその任意の部分は処理システムの外部に存在することができる。例として、機械可読媒体は、すべてバスインターフェースを介してプロセッサがアクセスし得る、送信線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであるようにプロセッサに統合することができる。
【００７７】
[0087]処理システムは、すべて外部バスアーキテクチャを介して他のサポート回路と互いにリンクされる、プロセッサ機能を与える１つまたは複数のマイクロプロセッサと、機械可読媒体の少なくとも一部を与える外部メモリとをもつ汎用処理システムとして構成することができる。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、ステートマシン、ゲート論理、ディスクリートハードウェア構成要素、もしくは他の適切な回路、または本開示全体にわたって説明する様々な機能を実行することができる回路の任意の組合せを用いて、実装され得る。当業者なら、特定の適用例および全体的なシステムに課される全体的な設計制約に応じて、どのようにしたら処理システムについて説明した機能を最も良く実装できるかを理解されよう。
【００７８】
[0088]機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス内に存在することができ、または複数の記憶デバイスに分散することができる。例として、トリガイベントが発生したときに、ソフトウェアモジュールをハードドライブからＲＡＭにロードすることができる。ソフトウェアモジュールの実行中、プロセッサは、アクセス速度を高めるために、命令のいくつかをキャッシュにロードすることができる。次いで、１つまたは複数のキャッシュラインを、プロセッサによる実行のために汎用レジスタファイルにロードすることができる。以下でソフトウェアモジュールの機能に言及する場合、そのような機能は、そのソフトウェアモジュールからの命令を実行したときにプロセッサによって実装されることが理解されよう。
【００７９】
[0089]ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるとき、ディスク（ｄｉｓｋ）とディスク（ｄｉｓｃ）とは、コンパクトディスク（compact disc）（ＣＤ）と、レーザディスク（登録商標）（laser disc）と、光ディスク（optical disc）と、デジタルバーサタイルディスク（digital versatile disc）（ＤＶＤ）と、フロッピー（登録商標）ディスク（floppy disk）と、ブルーレイ（登録商標）ディスク（Blu-ray（登録商標） disc）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【００８０】
[0090]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００８１】
[0091]さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、そのようなデバイスは、本明細書で説明する方法を実施するための手段の転送を容易にするために、サーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【００８２】
[0092]特許請求の範囲は、上記に示した精密な構成および構成要素に限定されないことを理解されたい。上記の方法および装置の構成、動作および詳細において、特許請求の範囲から逸脱することなく、様々な改変、変更および変形を行うことができる。
【図１】
2016511999.tif 000003
【図２】
2016511999.tif 000004
【図３】
2016511999.tif 000005
【図４】
2016511999.tif 000006
【図５】
2016511999.tif 000007
【図６】
2016511999.tif 000008
【図７】
2016511999.tif 000009
【図７Ａ】
2016511999.tif 000010
【図８】
2016511999.tif 000011
【図８Ａ】
2016511999.tif 000012
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
物理レイヤコンバージェンスプロトコル（ＰＬＣＰ）プロトコルデータユニット（ＰＰＤＵ）を第２の装置に送信するように構成された送信機と、
前記送信されたＰＰＤＵに応答して前記第２の装置から期待される応答のタイプを示すように、前記ＰＰＤＵのＰＬＣＰヘッダ中の少なくとも１つのビットをセットするように構成された処理システムと、ここにおいて、前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、
を備える第１の装置。
【請求項２】
前記少なくとも１つのビットは、応答なしが期待されることを示す値にセットされる、請求項１に記載の第１の装置。
【請求項３】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１に記載の第１の装置。
【請求項４】
前記処理システムは、前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするようにさらに構成される、請求項１に記載の第１の装置。
【請求項５】
前記処理システムは、フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするようにさらに構成され、前記ＥＯＦ値は、期待される前記応答のタイプをさらに示す、請求項１に記載の第１の装置。
【請求項６】
ワイヤレス通信のための装置であって、
物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、送るべき応答のタイプを決定するように構成された処理システムと、ここにおいて、前記処理システムは、前記装置によってヌルデータパケット（ＮＤＰ）中で前記応答が送られることを可能にする少なくとも１つのタイプを含むタイプ群から、前記応答のタイプを決定するように構成される、
を備える装置。
【請求項７】
前記決定に基づいて、前記応答をヌルデータパケット（ＮＤＰ）中で送信するように構成された送信機をさらに備える、請求項６に記載の装置。
【請求項８】
前記処理システムは、前記少なくとも１つのビットが、応答が送られるべきでないことを示す値にセットされていると決定することによって、前記応答のタイプを決定するように構成される、請求項６に記載の装置。
【請求項９】
前記処理システムは、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、請求項６に記載の装置。
【請求項１０】
送信機をさらに備え、
前記処理システムは、前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するようにさらに構成され、
前記送信機は、前記ＰＬＣＰヘッダ中の前記ビットに基づいて前記ＰＰＤＵに応答してブロック確認応答（ＢＡ）を送信するように構成される、請求項６に記載の装置。
【請求項１１】
送信機をさらに備え、
前記処理システムは、第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するようにさらに構成され、
前記送信機は、前記ＥＯＦ値に基づいて前記ＰＰＤＵに応答してブロック確認応答（ＢＡ）を送信するように構成される、請求項６に記載の装置。
【請求項１２】
第１の装置によるワイヤレス通信のための方法であって、
物理レイヤコンバージェンスプロトコル（ＰＬＣＰ）プロトコルデータユニット（ＰＰＤＵ）を第２の装置に送信することと、
前記送信されたＰＰＤＵに応答して前記第２の装置から期待される応答のタイプを示すように、前記ＰＰＤＵのＰＬＣＰヘッダ中の少なくとも１つのビットをセットすることと、ここにおいて、前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、
を備える方法。
【請求項１３】
前記少なくとも１つのビットは、応答なしが期待されることを示す値にセットされる、請求項１２に記載の方法。
【請求項１４】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１２に記載の方法。
【請求項１５】
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットすることをさらに備える、請求項１２に記載の方法。
【請求項１６】
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットすることをさらに備え、前記ＥＯＦ値は、期待される前記応答のタイプをさらに示す、請求項１２に記載の方法。
【請求項１７】
装置によるワイヤレス通信のための方法であって、
物理レイヤコンバージェンスプロトコル（ＰＬＣＰ）プロトコルデータユニット（ＰＰＤＵ）を受信することと、
前記ＰＰＤＵのＰＬＣＰヘッダ中の少なくとも１つのビットに基づいて、送るべき応答のタイプを決定することと、ここにおいて、前記処理システムは、前記装置によってヌルデータパケット（ＮＤＰ）中で前記応答が送られることを可能にする少なくとも１つのタイプを含むタイプ群から、前記応答のタイプを決定するように構成される、
を備える方法。
【請求項１８】
前記決定に基づいて、前記応答をヌルデータパケット（ＮＤＰ）中で送信することをさらに備える、請求項１７に記載の方法。
【請求項１９】
前記応答のタイプを決定することは、前記少なくとも１つのビットが、応答が送られるべきでないことを示す値にセットされていると決定することを備える、請求項１７に記載の方法。
【請求項２０】
前記決定することは、前記ＰＬＣＰヘッダ中のアグリゲーションビットまたはフレーム終了（ＥＯＦ）値のうちの少なくとも１つに基づいて、送るべき前記応答のタイプを決定することをさらに備える、請求項１７に記載の方法。
【請求項２１】
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定することと、
前記ＰＬＣＰヘッダ中の前記ビットに基づいて前記ＰＰＤＵに応答してブロック確認応答（ＢＡ）を送信することとをさらに備える、請求項１７に記載の方法。
【請求項２２】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定することと、
前記ＥＯＦ値に基づいて前記ＰＰＤＵに応答してブロック確認応答（ＢＡ）を送信することとをさらに備える、請求項１７に記載の方法。
【請求項２３】
ワイヤレス通信のための第１の装置であって、
物理レイヤコンバージェンスプロトコル（ＰＬＣＰ）プロトコルデータユニット（ＰＰＤＵ）を第２の装置に送信するための手段と、
前記送信されたＰＰＤＵに応答して前記第２の装置から期待される応答のタイプを示すように、前記ＰＰＤＵのＰＬＣＰヘッダ中の少なくとも１つのビットをセットするための手段と、ここにおいて、前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、
を備える第１の装置。
【請求項２４】
前記少なくとも１つのビットは、応答なしが期待されることを示す値にセットされる、請求項２３に記載の第１の装置。
【請求項２５】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項２３に記載の第１の装置。
【請求項２６】
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするための手段をさらに備える、請求項２３に記載の第１の装置。
【請求項２７】
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするための手段をさらに備え、前記ＥＯＦ値は、期待される前記応答のタイプをさらに示す、請求項２３に記載の第１の装置。
【請求項２８】
ワイヤレス通信のための装置であって、
物理レイヤコンバージェンスプロトコル（ＰＬＣＰ）プロトコルデータユニット（ＰＰＤＵ）を受信するための手段と、
前記ＰＰＤＵのＰＬＣＰヘッダ中の少なくとも１つのビットに基づいて、送るべき応答のタイプを決定するための手段と、ここにおいて、前記処理システムは、前記装置によってヌルデータパケット（ＮＤＰ）中で前記応答が送られることを可能にする少なくとも１つのタイプを含むタイプ群から、前記応答のタイプを決定するように構成される、
を備える装置。
【請求項２９】
前記決定に基づいて、前記応答をヌルデータパケット（ＮＤＰ）中で送信するための手段をさらに備える、請求項２８に記載の装置。
【請求項３０】
前記応答のタイプを決定するための前記手段は、前記少なくとも１つのビットが、応答が送られるべきでないことを示す値にセットされていると決定するように構成される、請求項２８に記載の装置。
【請求項３１】
決定するための前記手段は、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、請求項２８に記載の装置。
【請求項３２】
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するための手段と、
前記ＰＬＣＰヘッダ中の前記ビットに基づいて前記ＰＰＤＵに応答してブロック確認応答（ＢＡ）を送信するための手段とをさらに備える、請求項２８に記載の装置。
【請求項３３】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するための手段と、
前記ＥＯＦ値に基づいて、前記ＰＰＤＵに応答してブロック確認応答（ＢＡ）を送信するための手段とをさらに備える、請求項２８に記載の装置。
【請求項３４】
コンピュータ可読媒体を備えるワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置に送信することと、
前記送信されたＰＰＤＵに応答して前記装置から期待される応答のタイプを示すように、前記ＰＰＤＵのＰＬＣＰヘッダ中の少なくとも１つのビットをセットすることと、ここにおいて、前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、
を行うように実行可能な命令を有する、コンピュータプログラム製品。
【請求項３５】
コンピュータ可読媒体を備えるワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置において受信することと、
前記ＰＰＤＵのＰＬＣＰヘッダ中の少なくとも１つのビットに基づいて、前記ＰＰＤＵについて送るべき応答のタイプを決定することと、ここにおいて、前記処理システムは、前記装置によってヌルデータパケット（ＮＤＰ）中で前記応答が送られることを可能にする少なくとも１つのタイプを含むタイプ群から、前記応答のタイプを決定するように構成される、
を行うように実行可能な命令を有する、コンピュータプログラム製品。
【請求項３６】
第１のワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を第２のワイヤレス局に送信するように構成された送信機と、
前記送信されたＰＰＤＵに応答して前記第２のワイヤレス局から期待される応答のタイプを示すように、前記ＰＰＤＵのＰＬＣＰヘッダ中の少なくとも１つのビットをセットするように構成された処理システムと、ここにおいて、前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、
を備える第１のワイヤレス局。
【請求項３７】
ワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、前記ＰＰＤＵについて送るべき応答のタイプを決定するように構成された処理システムと、ここにおいて、前記処理システムは、前記装置によってヌルデータパケット（ＮＤＰ）中で前記応答が送られることを可能にする少なくとも１つのタイプを含むタイプ群から、前記応答のタイプを決定するように構成される、
を備えるワイヤレス局。
【手続補正２】
【補正対象書類名】明細書
【補正対象項目名】００８２
【補正方法】変更
【補正の内容】
【００８２】
[0092]特許請求の範囲は、上記に示した精密な構成および構成要素に限定されないことを理解されたい。上記の方法および装置の構成、動作および詳細において、特許請求の範囲から逸脱することなく、様々な改変、変更および変形を行うことができる。
以下に、出願当初の特許請求の範囲に記載された発明を付記する。
［Ｃ１］
ワイヤレス通信のための第１の装置であって、
物理レイヤコンバージェンスプロトコル（ＰＬＣＰ）プロトコルデータユニット（ＰＰＤＵ）を第２の装置に送信するように構成された送信機と、
前記送信されたＰＰＤＵに応答して前記第２の装置から期待される応答のタイプを示すように、前記ＰＰＤＵのＰＬＣＰヘッダ中の少なくとも１つのビットをセットするように構成された処理システムと、
を備える第１の装置。
［Ｃ２］
前記処理システムは、前記第２の装置によってヌルデータパケット（ＮＤＰ）中で前記応答が送られることを可能にする少なくとも１つのタイプを含むタイプ群から、前記応答のタイプを選択するようにさらに構成される、上記Ｃ１に記載の第１の装置。
［Ｃ３］
前記少なくとも１つのビットは、応答なしが期待されることを示す値にセットされる、上記Ｃ１に記載の第１の装置。
［Ｃ４］
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、上記Ｃ１に記載の第１の装置。
［Ｃ５］
前記処理システムは、前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするようにさらに構成される、上記Ｃ１に記載の第１の装置。
［Ｃ６］
前記処理システムは、フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするようにさらに構成され、前記ＥＯＦ値は、期待される前記応答のタイプをさらに示す、上記Ｃ１に記載の第１の装置。
［Ｃ７］
ワイヤレス通信のための装置であって、
物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、送るべき応答のタイプを決定するように構成された処理システムと、
を備える装置。
［Ｃ８］
前記決定に基づいて、前記応答のタイプをヌルデータパケット（ＮＤＰ）中で送信するように構成された送信機をさらに備える、上記Ｃ７に記載の装置。
［Ｃ９］
前記処理システムは、前記少なくとも１つのビットが、応答が送られるべきでないことを示す値にセットされていると決定することによって、前記応答のタイプを決定するように構成される、上記Ｃ７に記載の装置。
［Ｃ１０］
前記処理システムは、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、上記Ｃ７に記載の装置。
［Ｃ１１］
送信機をさらに備え、
前記処理システムは、前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するようにさらに構成され、
前記送信機は、前記ＰＬＣＰヘッダ中の前記ビットに基づいて前記ＰＰＤＵに応答してブロック確認応答（ＢＡ）を送信するように構成される、上記Ｃ７に記載の装置。
［Ｃ１２］
送信機をさらに備え、
前記処理システムは、第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するようにさらに構成され、
前記送信機は、前記ＥＯＦ値に基づいて前記ＰＰＤＵに応答してブロック確認応答（ＢＡ）を送信するように構成される、上記Ｃ７に記載の装置。
［Ｃ１３］
第１の装置によるワイヤレス通信のための方法であって、
物理レイヤコンバージェンスプロトコル（ＰＬＣＰ）プロトコルデータユニット（ＰＰＤＵ）を第２の装置に送信することと、
前記送信されたＰＰＤＵに応答して前記第２の装置から期待される応答のタイプを示すように、前記ＰＰＤＵのＰＬＣＰヘッダ中の少なくとも１つのビットをセットすることとを備える方法。
［Ｃ１４］
前記第２の装置によってヌルデータパケット（ＮＤＰ）中で前記応答が送られることを可能にする少なくとも１つのタイプを含むタイプ群から、前記応答のタイプを選択することをさらに備える、上記Ｃ１３に記載の方法。
［Ｃ１５］
前記少なくとも１つのビットは、応答なしが期待されることを示す値にセットされる、上記Ｃ１３に記載の方法。
［Ｃ１６］
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、上記Ｃ１３に記載の方法。
［Ｃ１７］
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットすることをさらに備える、上記Ｃ１３に記載の方法。
［Ｃ１８］
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットすることをさらに備え、前記ＥＯＦ値は、期待される前記応答のタイプをさらに示す、上記Ｃ１３に記載の方法。
［Ｃ１９］
装置によるワイヤレス通信のための方法であって、
物理レイヤコンバージェンスプロトコル（ＰＬＣＰ）プロトコルデータユニット（ＰＰＤＵ）を受信することと、
前記ＰＰＤＵのＰＬＣＰヘッダ中の少なくとも１つのビットに基づいて、送るべき応答のタイプを決定することと、
を備える方法。
［Ｃ２０］
前記決定に基づいて、前記応答のタイプをヌルデータパケット（ＮＤＰ）中で送信することをさらに備える、上記Ｃ１９に記載の方法。
［Ｃ２１］
前記応答のタイプを決定することは、前記少なくとも１つのビットが、応答が送られるべきでないことを示す値にセットされていると決定することを備える、上記Ｃ１９に記載の方法。
［Ｃ２２］
前記決定することは、前記ＰＬＣＰヘッダ中のアグリゲーションビットまたはフレーム終了（ＥＯＦ）値のうちの少なくとも１つに基づいて、送るべき前記応答のタイプを決定することをさらに備える、上記Ｃ１９に記載の方法。
［Ｃ２３］
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定することと、
前記ＰＬＣＰヘッダ中の前記ビットに基づいて前記ＰＰＤＵに応答してブロック確認応答（ＢＡ）を送信することとをさらに備える、上記Ｃ１９に記載の方法。
［Ｃ２４］
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定することと、
前記ＥＯＦ値に基づいて前記ＰＰＤＵに応答してブロック確認応答（ＢＡ）を送信することとをさらに備える、上記Ｃ１９に記載の方法。
［Ｃ２５］
ワイヤレス通信のための第１の装置であって、
物理レイヤコンバージェンスプロトコル（ＰＬＣＰ）プロトコルデータユニット（ＰＰＤＵ）を第２の装置に送信するための手段と、
前記送信されたＰＰＤＵに応答して前記第２の装置から期待される応答のタイプを示すように、前記ＰＰＤＵのＰＬＣＰヘッダ中の少なくとも１つのビットをセットするための手段と、
を備える第１の装置。
［Ｃ２６］
前記第２の装置によってヌルデータパケット（ＮＤＰ）中で前記応答が送られることを可能にする少なくとも１つのタイプを含むタイプ群から、前記応答のタイプを選択するための手段をさらに備える、上記Ｃ２５に記載の第１の装置。
［Ｃ２７］
前記少なくとも１つのビットは、応答なしが期待されることを示す値にセットされる、上記Ｃ２５に記載の第１の装置。
［Ｃ２８］
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、上記Ｃ２５に記載の第１の装置。
［Ｃ２９］
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするための手段をさらに備える、上記Ｃ２５に記載の第１の装置。
［Ｃ３０］
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするための手段をさらに備え、前記ＥＯＦ値は、期待される前記応答のタイプをさらに示す、上記Ｃ２５に記載の第１の装置。
［Ｃ３１］
ワイヤレス通信のための装置であって、
物理レイヤコンバージェンスプロトコル（ＰＬＣＰ）プロトコルデータユニット（ＰＰＤＵ）を受信するための手段と、
前記ＰＰＤＵのＰＬＣＰヘッダ中の少なくとも１つのビットに基づいて、送るべき応答のタイプを決定するための手段と、
を備える装置。
［Ｃ３２］
前記決定に基づいて、前記応答のタイプをヌルデータパケット（ＮＤＰ）中で送信するための手段をさらに備える、上記Ｃ３１に記載の装置。
［Ｃ３３］
前記応答のタイプを決定するための前記手段は、前記少なくとも１つのビットが、応答が送られるべきでないことを示す値にセットされていると決定するように構成される、上記Ｃ３１に記載の装置。
［Ｃ３４］
決定するための前記手段は、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、上記Ｃ３１に記載の装置。
［Ｃ３５］
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するための手段と、
前記ＰＬＣＰヘッダ中の前記ビットに基づいて前記ＰＰＤＵに応答してブロック確認応答（ＢＡ）を送信するための手段とをさらに備える、上記Ｃ３１に記載の装置。
［Ｃ３６］
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するための手段と、
前記ＥＯＦ値に基づいて、前記ＰＰＤＵに応答してブロック確認応答（ＢＡ）を送信するための手段とをさらに備える、上記Ｃ３１に記載の装置。
［Ｃ３７］
コンピュータ可読媒体を備えるワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置に送信することと、
前記送信されたＰＰＤＵに応答して前記装置から期待される応答のタイプを示すように、前記ＰＰＤＵのＰＬＣＰヘッダ中の少なくとも１つのビットをセットすることと、
を行うように実行可能な命令を有する、コンピュータプログラム製品。
［Ｃ３８］
コンピュータ可読媒体を備えるワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置において受信することと、
前記ＰＰＤＵのＰＬＣＰヘッダ中の少なくとも１つのビットに基づいて、前記ＰＰＤＵについて送るべき応答のタイプを決定することと、
を行うように実行可能な命令を有する、コンピュータプログラム製品。
［Ｃ３９］
第１のワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を第２のワイヤレス局に送信するように構成された送信機と、
前記送信されたＰＰＤＵに応答して前記第２のワイヤレス局から期待される応答のタイプを示すように、前記ＰＰＤＵのＰＬＣＰヘッダ中の少なくとも１つのビットをセットするように構成された処理システムと、
を備える第１のワイヤレス局。
［Ｃ４０］
ワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、前記ＰＰＤＵについて送るべき応答のタイプを決定するように構成された処理システムと、
を備えるワイヤレス局。
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
ＩＥＥＥ８０２．１１規格にしたがうワイヤレス通信のための第１の装置であって、
物理レイヤコンバージェンスプロトコル（ＰＬＣＰ）プロトコルデータユニット（ＰＰＤＵ）を第２の装置に送信するように構成された送信機と、
処理システムであって、
前記第２の装置によって送られるべき応答がヌルデータパケット（ＮＤＰ）であることを示す少なくとも１つの第１のタイプと、応答なしが期待されることを示す少なくとも１つの第２のタイプとを含むタイプ群から、前記送信されたＰＰＤＵに応答して前記第２の装置から期待される応答のタイプを選択することと、
前記送信されたＰＰＤＵに応答して前記第２の装置から期待される前記応答のタイプを示すように、前記ＰＰＤＵのＰＬＣＰヘッダ中の少なくとも１つのビットをセットすることと、
を行うように構成された処理システムと、
を備える第１の装置。
【請求項２】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１に記載の第１の装置。
【請求項３】
前記処理システムは、前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするようにさらに構成される、請求項１に記載の第１の装置。
【請求項４】
前記処理システムは、フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするようにさらに構成され、前記ＥＯＦ値は、期待される前記応答のタイプをさらに示す、請求項１に記載の第１の装置。
【請求項５】
ＩＥＥＥ８０２．１１規格にしたがうワイヤレス通信のための装置であって、
物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、送るべき応答のタイプを決定するように構成された処理システムと、ここにおいて、前記応答のタイプは、前記装置によって送信されるべき応答がヌルデータパケット（ＮＤＰ）であることを示す少なくとも第１のタイプと、応答なしが期待されることを示す少なくとも１つの第２のタイプとを含むタイプ群から選択される、
前記決定に基づいて応答を送信するように構成された送信機と、
を備える装置。
【請求項６】
前記処理システムは、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、請求項５に記載の装置。
【請求項７】
前記処理システムは、前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するようにさらに構成され、
前記送信機は、前記ＰＬＣＰヘッダ中の前記ビットに基づいて前記ＰＰＤＵに応答してブロック確認応答（ＢＡ）を送信するように構成される、請求項５に記載の装置。
【請求項８】
前記処理システムは、第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するようにさらに構成され、
前記送信機は、前記ＥＯＦ値に基づいて前記ＰＰＤＵに応答してブロック確認応答（ＢＡ）を送信するように構成される、請求項５に記載の装置。
【請求項９】
第１の装置による、ＩＥＥＥ８０２．１１規格にしたがうワイヤレス通信のための方法であって、
物理レイヤコンバージェンスプロトコル（ＰＬＣＰ）プロトコルデータユニット（ＰＰＤＵ）を第２の装置に送信することと、
前記第２の装置によって送られるべき応答がヌルデータパケット（ＮＤＰ）であることを示す少なくとも１つの第１のタイプと、応答なしが期待されることを示す少なくとも１つの第２のタイプとを含むタイプ群から、前記送信されたＰＰＤＵに応答して前記第２の装置から期待される応答のタイプを選択することと、
前記送信されたＰＰＤＵに応答して前記第２の装置から期待される前記応答のタイプを示すように、前記ＰＰＤＵのＰＬＣＰヘッダ中の少なくとも１つのビットをセットすることと、
を備える方法。
【請求項１０】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項９に記載の方法。
【請求項１１】
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットすることをさらに備える、請求項９に記載の方法。
【請求項１２】
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットすることをさらに備え、前記ＥＯＦ値は、期待される前記応答のタイプをさらに示す、請求項９に記載の方法。
【請求項１３】
装置による、ＩＥＥＥ８０２．１１規格にしたがうワイヤレス通信のための方法であって、
物理レイヤコンバージェンスプロトコル（ＰＬＣＰ）プロトコルデータユニット（ＰＰＤＵ）を受信することと、
前記ＰＰＤＵのＰＬＣＰヘッダ中の少なくとも１つのビットに基づいて、送るべき応答のタイプを決定することと、ここにおいて、前記応答のタイプは、前記装置によって送信されるべき応答がヌルデータパケット（ＮＤＰ）であることを示す少なくとも第１のタイプと、応答なしが期待されることを示す少なくとも１つの第２のタイプとを含むタイプ群から選択される、
前記決定に基づいて前記応答を送信することと、
を備える方法。
【請求項１４】
前記決定することは、前記ＰＬＣＰヘッダ中のアグリゲーションビットまたはフレーム終了（ＥＯＦ）値のうちの少なくとも１つに基づいて、送るべき前記応答のタイプを決定することをさらに備える、請求項１３に記載の方法。
【請求項１５】
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定することと、
前記ＰＬＣＰヘッダ中の前記ビットに基づいて前記ＰＰＤＵに応答してブロック確認応答（ＢＡ）を送信することとをさらに備える、請求項１３に記載の方法。
【請求項１６】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定することと、
前記ＥＯＦ値に基づいて前記ＰＰＤＵに応答してブロック確認応答（ＢＡ）を送信することとをさらに備える、請求項１３に記載の方法。
【請求項１７】
ＩＥＥＥ８０２．１１規格にしたがうワイヤレス通信のための第１の装置であって、
物理レイヤコンバージェンスプロトコル（ＰＬＣＰ）プロトコルデータユニット（ＰＰＤＵ）を第２の装置に送信するための手段と、
前記第２の装置によって送られるべき応答がヌルデータパケット（ＮＤＰ）であることを示す少なくとも１つの第１のタイプと、応答なしが期待されることを示す少なくとも１つの第２のタイプとを含むタイプ群から、前記送信されたＰＰＤＵに応答して前記第２の装置から期待される応答のタイプを選択するための手段と、
前記送信されたＰＰＤＵに応答して前記第２の装置から期待される前記応答のタイプを示すように、前記ＰＰＤＵのＰＬＣＰヘッダ中の少なくとも１つのビットをセットするための手段と、
を備える第１の装置。
【請求項１８】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１７に記載の第１の装置。
【請求項１９】
前記ＰＰＤＵの前記ＰＬＣＰヘッダ中のビットを、前記ＰＰＤＵがアグリゲートメディアアクセス制御（ＭＡＣ）プロトコルデータユニット（Ａ−ＭＰＤＵ）を備えるかどうかを示す値にセットするための手段をさらに備える、請求項１７に記載の第１の装置。
【請求項２０】
フレーム終了（ＥＯＦ）値を、非ゼロ長フィールドをもつ前記ＰＰＤＵのメディアアクセス制御（ＭＡＣ）プロトコルデータユニット（ＭＰＤＵ）デリミタのゼロにセットするための手段をさらに備え、前記ＥＯＦ値は、期待される前記応答のタイプをさらに示す、請求項１７に記載の第１の装置。
【請求項２１】
ＩＥＥＥ８０２．１１規格にしたがうワイヤレス通信のための装置であって、
物理レイヤコンバージェンスプロトコル（ＰＬＣＰ）プロトコルデータユニット（ＰＰＤＵ）を受信するための手段と、
前記ＰＰＤＵのＰＬＣＰヘッダ中の少なくとも１つのビットに基づいて、送るべき応答のタイプを決定するための手段と、ここにおいて、前記応答のタイプは、前記装置によって送信されるべき応答がヌルデータパケット（ＮＤＰ）であることを示す少なくとも第１のタイプと、応答なしが期待されることを示す少なくとも１つの第２のタイプとを含むタイプ群から選択される、
前記決定に基づいて応答を送信するための手段と、
を備える装置。
【請求項２２】
決定するための前記手段は、前記ＰＬＣＰヘッダ中のアグリゲーションビットまたはフレーム終了（ＥＯＦ）値のうちの少なくとも１つに基づいて、送るべき前記応答のタイプを決定するようにさらに構成される、請求項２１に記載の装置。
【請求項２３】
前記ＰＰＤＵの前記ＰＬＣＰヘッダ中のビットが、前記ＰＰＤＵがアグリゲートメディアアクセス制御（ＭＡＣ）プロトコルデータユニット（Ａ−ＭＰＤＵ）を備えることを示す値にセットされていると決定するための手段と、
前記ＰＬＣＰヘッダ中の前記ビットに基づいて前記ＰＰＤＵに応答してブロック確認応答（ＢＡ）を送信するための手段とをさらに備える、請求項２１に記載の装置。
【請求項２４】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するための手段と、
前記ＥＯＦ値に基づいて、前記ＰＰＤＵに応答してブロック確認応答（ＢＡ）を送信するための手段とをさらに備える、請求項２１に記載の装置。
【請求項２５】
コンピュータ可読媒体を備える、ＩＥＥＥ８０２．１１規格にしたがうワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置に送信することと、
前記第２の装置によって送られるべき応答がヌルデータパケット（ＮＤＰ）であることを示す少なくとも１つの第１のタイプと、応答なしが期待されることを示す少なくとも１つの第２のタイプとを含むタイプ群から、前記送信されたＰＰＤＵに応答して前記第２の装置から期待される応答のタイプを選択することと、
前記装置から期待される前記応答のタイプを示すように、前記ＰＰＤＵのＰＬＣＰヘッダ中の少なくとも１つのビットをセットすることと、
を行うように実行可能な命令を有する、コンピュータプログラム製品。
【請求項２６】
コンピュータ可読媒体を備える、ＩＥＥＥ８０２．１１規格にしたがうワイヤレス通信のためのコンピュータプログラム製品であって、前記コンピュータ可読媒体は、
物理レイヤコンバージェンスプロトコル（ＰＬＣＰ）プロトコルデータユニット（ＰＰＤＵ）を装置において受信することと、
前記ＰＰＤＵのＰＬＣＰヘッダ中の少なくとも１つのビットに基づいて、前記ＰＰＤＵについて送るべき応答のタイプを決定することと、ここにおいて、前記応答のタイプは、前記装置によって送信されるべき応答がヌルデータパケット（ＮＤＰ）であることを示す少なくとも第１のタイプと、応答なしが期待されることを示す少なくとも１つの第２のタイプとを含むタイプ群から選択される、
前記決定に基づいて応答を送信することと、
を行うように実行可能な命令を有する、コンピュータプログラム製品。
【請求項２７】
ＩＥＥＥ８０２．１１規格にしたがう通信のための第１のワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を第２のワイヤレス局に送信するように構成された送信機と、
処理システムであって、
前記第２のワイヤレス局によって送られるべき応答がヌルデータパケット（ＮＤＰ）であることを示す少なくとも１つの第１のタイプと、応答なしが期待されることを示す少なくとも１つの第２のタイプとを含むタイプ群から、前記送信されたＰＰＤＵに応答して前記第２のワイヤレス局から期待される応答のタイプを選択することと、
前記送信されたＰＰＤＵに応答して前記第２のワイヤレス局から期待される前記応答のタイプを示すように、前記ＰＰＤＵのＰＬＣＰヘッダ中の少なくとも１つのビットをセットすることと、
を行うように構成された処理システムと、
を備える第１のワイヤレス局。
【請求項２８】
ＩＥＥＥ８０２．１１規格にしたがう通信のためのワイヤレス局であって、
少なくとも１つのアンテナと、
前記少なくとも１つのアンテナを介して、物理レイヤコンバージェンスプロトコル（ＰＬＣＰ）プロトコルデータユニット（ＰＰＤＵ）を受信するように構成された受信機と、
前記ＰＰＤＵのＰＬＣＰヘッダ中の少なくとも１つのビットに基づいて、前記ＰＰＤＵについて送るべき応答のタイプを決定するように構成された処理システムと、ここにおいて、前記応答のタイプは、前記ワイヤレス局によって送信されるべき応答がヌルデータパケット（ＮＤＰ）であることを示す少なくとも第１のタイプと、応答なしが期待されることを示す少なくとも１つの第２のタイプとを含むタイプ群から選択される、
前記少なくとも１つのアンテナを介して前記決定に基づいて応答を送信するように構成された送信機と、
を備えるワイヤレス局。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
パケットを第２の装置に送信するように構成された送信機と、
処理システムであって、
前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から、前記送信されたパケットに応答して前記第２の装置から期待される応答のタイプを選択することと、
前記送信されたパケットに応答して前記第２の装置から期待される前記応答のタイプを示すように、前記パケットのヘッダ中の少なくとも１つのビットをセットすることと、
を行うように構成された処理システムと、
を備える第１の装置。
【請求項２】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１に記載の第１の装置。
【請求項３】
前記処理システムは、前記パケットの前記ヘッダ中のビットを、前記パケットがアグリゲートメディアアクセス制御（ＭＡＣ）プロトコルデータユニット（Ａ−ＭＰＤＵ）を備えるかどうかを示す値にセットするようにさらに構成される、請求項１に記載の第１の装置。
【請求項４】
前記処理システムは、フレーム終了（ＥＯＦ）値を、非ゼロ長フィールドをもつ前記パケットのメディアアクセス制御（ＭＡＣ）プロトコルデータユニット（ＭＰＤＵ）デリミタのゼロにセットするようにさらに構成され、前記ＥＯＦ値は、期待される前記応答のタイプをさらに示す、請求項１に記載の第１の装置。
【請求項５】
ワイヤレス通信のための装置であって、
パケットを受信するように構成された受信機と、
前記パケットのヘッダ中の少なくとも１つのビットに基づいて、送信するべき応答のタイプを決定するように構成された処理システムと、ここにおいて、前記応答のタイプは、前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から選択される、
前記決定に基づいて応答を送信するように構成された送信機と、
を備える装置。
【請求項６】
前記処理システムは、前記パケットヘッダ中のアグリゲーションビットまたはフレーム終了（ＥＯＦ）値のうちの少なくとも１つに基づいて、送信するべき前記応答のタイプを決定するようにさらに構成される、請求項５に記載の装置。
【請求項７】
前記処理システムは、前記パケットの前記ヘッダ中のビットが、前記パケットがアグリゲートメディアアクセス制御（ＭＡＣ）プロトコルデータユニット（Ａ−ＭＰＤＵ）を備えることを示す値にセットされていると決定するようにさらに構成され、
前記送信機は、前記ヘッダ中の前記ビットに基づいて前記パケットに応答してブロック確認応答（ＢＡ）を送信するように構成される、請求項５に記載の装置。
【請求項８】
前記処理システムは、第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するようにさらに構成され、
前記送信機は、前記ＥＯＦ値に基づいて前記パケットに応答してブロック確認応答（ＢＡ）を送信するように構成される、請求項５に記載の装置。
【請求項９】
第１の装置によるワイヤレス通信のための方法であって、
パケットを第２の装置に送信することと、
前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から、前記送信されたパケットに応答して前記第２の装置から期待される応答のタイプを選択することと、
前記送信されたパケットに応答して前記第２の装置から期待される前記応答のタイプを示すように、前記パケットのヘッダ中の少なくとも１つのビットをセットすることと、
を備える方法。
【請求項１０】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項９に記載の方法。
【請求項１１】
前記パケットの前記ヘッダ中のビットを、前記パケットがアグリゲートメディアアクセス制御（ＭＡＣ）プロトコルデータユニット（Ａ−ＭＰＤＵ）を備えるかどうかを示す値にセットすることをさらに備える、請求項９に記載の方法。
【請求項１２】
フレーム終了（ＥＯＦ）値を、非ゼロ長フィールドをもつ前記パケットのメディアアクセス制御（ＭＡＣ）プロトコルデータユニット（ＭＰＤＵ）デリミタのゼロにセットすることをさらに備え、前記ＥＯＦ値は、期待される前記応答のタイプをさらに示す、請求項９に記載の方法。
【請求項１３】
装置によるワイヤレス通信のための方法であって、
パケットを受信することと、
前記パケットのヘッダ中の少なくとも１つのビットに基づいて、送るべき応答のタイプを決定することと、ここにおいて、前記応答のタイプは、前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から選択される、
前記決定に基づいて応答を送信することと、
を備える方法。
【請求項１４】
前記決定することは、前記ヘッダ中のアグリゲーションビットまたはフレーム終了（ＥＯＦ）値のうちの少なくとも１つに基づいて、送るべき前記応答のタイプを決定することをさらに備える、請求項１３に記載の方法。
【請求項１５】
前記パケットの前記ヘッダ中のビットが、前記パケットがアグリゲートメディアアクセス制御（ＭＡＣ）プロトコルデータユニット（Ａ−ＭＰＤＵ）を備えることを示す値にセットされていると決定することと、
前記ヘッダ中の前記ビットに基づいて前記パケットに応答してブロック確認応答（ＢＡ）を送信することと
をさらに備える、請求項１３に記載の方法。
【請求項１６】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定することと、
前記ＥＯＦ値に基づいて前記パケットに応答してブロック確認応答（ＢＡ）を送信することと
をさらに備える、請求項１３に記載の方法。
【請求項１７】
ワイヤレス通信のための第１の装置であって、
パケットを第２の装置に送信するための手段と、
前記第２の装置によって送られるべき応答がヌルデータパケット（ＮＤＰ）であることを示す少なくとも１つの第１のタイプと、応答なしが期待されることを示す少なくとも１つの第２のタイプとを含むタイプ群から、前記送信されたパケットに応答して前記第２の装置から期待される応答のタイプを選択するための手段と、
前記送信されたパケットに応答して前記第２の装置から期待される前記応答のタイプを示すように、前記パケットのヘッダ中の少なくとも１つのビットをセットするための手段と、
を備える第１の装置。
【請求項１８】
前記少なくとも１つのビットは、応答なしが期待されること、ヌルデータパケット（ＮＤＰ）応答が期待されること、通常応答が期待されること、またはロング応答が期待されることを示す値にセットされた少なくとも２つのビットを備える、請求項１７に記載の第１の装置。
【請求項１９】
前記パケットの前記ヘッダ中のビットを、前記パケットがアグリゲートメディアアクセス制御（ＭＡＣ）プロトコルデータユニット（Ａ−ＭＰＤＵ）を備えるかどうかを示す値にセットするための手段をさらに備える、請求項１７に記載の第１の装置。
【請求項２０】
フレーム終了（ＥＯＦ）値を、非ゼロ長フィールドをもつ前記パケットのメディアアクセス制御（ＭＡＣ）プロトコルデータユニット（ＭＰＤＵ）デリミタのゼロにセットするための手段をさらに備え、前記ＥＯＦ値は、期待される前記応答のタイプをさらに示す、請求項１７に記載の第１の装置。
【請求項２１】
ワイヤレス通信のための装置であって、
パケットを受信するための手段と、
前記パケットのヘッダ中の少なくとも１つのビットに基づいて、送るべき応答のタイプを決定するための手段と、ここにおいて、前記応答のタイプは、前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から選択される、
前記決定に基づいて応答を送信するための手段と、
を備える装置。
【請求項２２】
決定するための前記手段は、前記ヘッダ中のアグリゲーションビットまたはフレーム終了（ＥＯＦ）値のうちの少なくとも１つに基づいて、送るべき前記応答のタイプを決定するようにさらに構成される、請求項２１に記載の装置。
【請求項２３】
前記パケットの前記ヘッダ中のビットが、前記パケットがアグリゲートメディアアクセス制御（ＭＡＣ）プロトコルデータユニット（Ａ−ＭＰＤＵ）を備えることを示す値にセットされていると決定するための手段と、
前記ヘッダ中の前記ビットに基づいて前記パケットに応答してブロック確認応答（ＢＡ）を送信するための手段と
をさらに備える、請求項２１に記載の装置。
【請求項２４】
第１の非ゼロ長メディアアクセス制御（ＭＡＣ）プロトコルデータユニット（ＭＰＤＵ）デリミタが、ゼロにセットされたフレーム終了（ＥＯＦ）値を有すると決定するための手段と、
前記ＥＯＦ値に基づいて、前記パケットに応答してブロック確認応答（ＢＡ）を送信するための手段と
をさらに備える、請求項２１に記載の装置。
【請求項２５】
非一時的なコンピュータ可読媒体を備えるワイヤレス通信のためのコンピュータプログラム製品であって、前記非一時的なコンピュータ可読媒体は、
パケットを装置に送信することと、
前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から、前記送信されたパケットに応答して前記第２の装置から期待される応答のタイプを選択することと、
前記送信されたパケットに応答して前記装置から期待される前記応答のタイプを示すように、前記パケットのヘッダ中の少なくとも１つのビットをセットすることと、
を行うように実行可能な命令を有する、コンピュータプログラム製品。
【請求項２６】
非一時的なコンピュータ可読媒体を備えるワイヤレス通信のためのコンピュータプログラム製品であって、前記非一時的なコンピュータ可読媒体は、
パケットを装置において受信することと、
前記パケットのヘッダ中の少なくとも１つのビットに基づいて、前記パケットについて送るべき応答のタイプを決定することと、ここにおいて、前記応答のタイプは、前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から選択される、
前記決定に基づいて応答を送信することと、
を行うように実行可能な命令を有する、コンピュータプログラム製品。
【請求項２７】
第１のワイヤレス局であって、
少なくとも１つのアンテナと、
前記少なくとも１つのアンテナを介して、パケットを第２のワイヤレス局に送信するように構成された送信機と、
処理システムであって、
前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から、前記送信されたパケットに応答して前記第２の装置から期待される応答のタイプを選択することと、
前記送信されたパケットに応答して前記第２のワイヤレス局から期待される前記応答のタイプを示すように、前記パケットのヘッダ中の少なくとも１つのビットをセットすることと、
を行うように構成された処理システムと、
を備える第１のワイヤレス局。
【請求項２８】
ワイヤレス局であって、
少なくとも１つのアンテナと、
前記少なくとも１つのアンテナを介してパケットを受信するように構成された受信機と、
前記パケットのヘッダ中の少なくとも１つのビットに基づいて、前記パケットについて送るべき応答のタイプを決定するように構成された処理システムと、ここにおいて、前記応答のタイプは、前記第２の装置によって送信されるべき応答がヌルデータパケット（ＮＤＰ）であることを示す少なくとも１つの第１のタイプと、応答なしが期待されることを示す少なくとも１つの第２のタイプとを含むタイプ群から選択される、
前記少なくとも１つのアンテナを介して前記決定に基づいて応答を送信するように構成された送信機と、
を備えるワイヤレス局。
【請求項２９】
前記パケットは、物理レイヤコンバージェンスプロトコル（ＰＬＣＰ）プロトコルデータユニット（ＰＰＤＵ）を備える、請求項１に記載の第１の装置。
【請求項３０】
前記パケットは、物理レイヤコンバージェンスプロトコル（ＰＬＣＰ）プロトコルデータユニット（ＰＰＤＵ）を備える、請求項５に記載の装置。
【請求項３１】
前記パケットは、物理レイヤコンバージェンスプロトコル（ＰＬＣＰ）プロトコルデータユニット（ＰＰＤＵ）を備える、請求項９に記載の方法。
【請求項３２】
前記パケットは、物理レイヤコンバージェンスプロトコル（ＰＬＣＰ）プロトコルデータユニット（ＰＰＤＵ）を備える、請求項１３に記載の方法。
【請求項３３】
前記パケットは、物理レイヤコンバージェンスプロトコル（ＰＬＣＰ）プロトコルデータユニット（ＰＰＤＵ）を備える、請求項１７に記載の第１の装置。
【請求項３４】
前記パケットは、物理レイヤコンバージェンスプロトコル（ＰＬＣＰ）プロトコルデータユニット（ＰＰＤＵ）を備える、請求項２１に記載の装置。
【国際調査報告】
2016511999.tif 000013
2016511999.tif 000014
2016511999.tif 000015